(57)【要約】【課題】つけまつ毛を容易に装着できるつけまつ毛装着補助具を提供する。【解決手段】補助具１は、瞼の端部に生えた自まつ毛を押える押え体２を備える。押え体２には、つけまつ毛Ａを挟持する挟持体３を前後方向にスライド可能に設ける。挟持体３は、つけまつ毛Ａの挟持時につけまつ毛Ａの人工まつ毛部A2を湾曲状のまま収容する収容空間部80を有する。【選択図】図１
2011005013.tif 000002
【特許請求の範囲】
【請求項１】
つけまつ毛を瞼に装着する際に使用するつけまつ毛装着補助具であって、
瞼の端部に生えたまつ毛を押える押え体と、
この押え体に設けられ、つけまつ毛を挟持する挟持体と
を備えることを特徴とするつけまつ毛装着補助具。
【請求項２】
挟持体は、押え体に移動可能に設けられている
ことを特徴とする請求項１記載のつけまつ毛装着補助具。
【請求項３】
挟持体は、つけまつ毛の挟持時につけまつ毛の人工まつ毛部の先端側を湾曲状のまま収容する収容空間部を有する
ことを特徴とする請求項１または２記載のつけまつ毛装着補助具。
【請求項４】
挟持体は、部分的なつけまつ毛を位置決めする位置決め用凸部を有する
ことを特徴とする請求項１ないし３のいずれか一記載のつけまつ毛装着補助具。
【請求項５】
挟持体は、押え体にこの押え体に沿って前後方向にスライド可能に設けられ、
前記押え体は、前側当接面、後側当接面および係合部分を有する係合部を有し、
前記挟持体は、前記係合部が挿入され、前側当接受面、後側当接受面および係合受段部分を有する前後方向長手状の長孔部を有し、
前記前側当接面と前記前側当接受面との当接により前記挟持体の前記押え体に対する後方へのスライドが規制され、
前記後側当接面と前記後側当接受面との当接により前記挟持体の前記押え体に対する前方へのスライドが規制され、
前記係合部分と前記係合受段部分との係合により前記係合部の前記長孔部内からの抜け出しが規制される
ことを特徴とする請求項１ないし４のいずれか一記載のつけまつ毛装着補助具。
【発明の詳細な説明】
【技術分野】
【０００１】
本発明は、つけまつ毛を瞼に装着する際に使用するつけまつ毛装着補助具に関する。
【背景技術】
【０００２】
従来、例えば特許文献１に記載されたつけまつ毛装着補助具が知られている。
【０００３】
この従来のつけまつ毛装着補助具は、互いに回動可能に連結された上下１対の挟持部材と、両挟持部材を挟持方向に付勢する付勢部材とを備えている。両挟持部材の前側部分がつけまつ毛を挟持する挟持部となっており、両挟持部材の後側部分が操作者が指で把持する把持部となっている。
【０００４】
そして、つけまつ毛装着補助具を用いてつけまつ毛を自分の瞼に装着する場合、操作者は、つけまつ毛を挟持部に挟持させた状態にし、把持部を手の指で把持してつけまつ毛装着補助具を持つ。次いで、操作者は、手で持ったつけまつ毛装着補助具を慎重に顔に近づけ、つけまつ毛を自まつ毛の生え際に置くような感じで、瞼の端部につけまつ毛を装着する。
【先行技術文献】
【特許文献】
【０００５】
【特許文献１】特開２００２−３００９１８号公報（図１、図２）
【発明の概要】
【発明が解決しようとする課題】
【０００６】
しかしながら、上記従来のつけまつ毛装着補助具を用いてつけまつ毛を装着する場合、瞼の端部に生えた自まつ毛が邪魔になり、つけまつ毛の装着に手間がかかることがある。
【０００７】
本発明は、このような点に鑑みなされたもので、つけまつ毛を容易に装着できるつけまつ毛装着補助具を提供することを目的とする。
【課題を解決するための手段】
【０００８】
請求項１記載のつけまつ毛装着補助具は、つけまつ毛を瞼に装着する際に使用するつけまつ毛装着補助具であって、瞼の端部に生えたまつ毛を押える押え体と、この押え体に設けられ、つけまつ毛を挟持する挟持体とを備えるものである。
【０００９】
請求項２記載のつけまつ毛装着補助具は、請求項１記載のつけまつ毛装着補助具において、挟持体は、押え体に移動可能に設けられているものである。
【００１０】
請求項３記載のつけまつ毛装着補助具は、請求項１または２記載のつけまつ毛装着補助具において、挟持体は、つけまつ毛の挟持時につけまつ毛の人工まつ毛部の先端側を湾曲状のまま収容する収容空間部を有するものである。
【００１１】
請求項４記載のつけまつ毛装着補助具は、請求項１ないし３のいずれか一記載のつけまつ毛装着補助具において、挟持体は、部分的なつけまつ毛を位置決めする位置決め用凸部を有するものである。
【００１２】
請求項５記載のつけまつ毛装着補助具は、請求項１ないし４のいずれか一記載のつけまつ毛装着補助具において、挟持体は、押え体にこの押え体に沿って前後方向にスライド可能に設けられ、前記押え体は、前側当接面、後側当接面および係合部分を有する係合部を有し、前記挟持体は、前記係合部が挿入され、前側当接受面、後側当接受面および係合受段部分を有する前後方向長手状の長孔部を有し、前記前側当接面と前記前側当接受面との当接により前記挟持体の前記押え体に対する後方へのスライドが規制され、前記後側当接面と前記後側当接受面との当接により前記挟持体の前記押え体に対する前方へのスライドが規制され、前記係合部分と前記係合受段部分との係合により前記係合部の前記長孔部内からの抜け出しが規制されるものである。
【発明の効果】
【００１３】
請求項１に係る発明によれば、押え体にて瞼の端部に生えたまつ毛を押えることができるため、つけまつ毛を容易に装着できる。
【００１４】
請求項２に係る発明によれば、挟持体は押え体に移動可能に設けられているため、挟持体を押え体に対して移動でき、つけまつ毛をより一層容易に装着できる。
【００１５】
請求項３に係る発明によれば、挟持体はつけまつ毛の挟持時につけまつ毛の人工まつ毛部の先端側を湾曲状のまま収容する収容空間部を有するため、人工まつ毛部の湾曲状を適切に維持できる。
【００１６】
請求項４に係る発明によれば、挟持体は部分的なつけまつ毛を位置決めする位置決め用凸部を有するため、位置決め用凸部にて部分的なつけまつ毛を容易に位置決めできる。
【００１７】
請求項５に係る発明によれば、挟持体は押え体にこの押え体に沿って前後方向にスライド可能に設けられているため、挟持体を押え体に対して前後方向にスライドでき、つけまつ毛をより一層容易に装着でき、しかも、前側当接面と前側当接受面との当接により挟持体の押え体に対する後方へのスライドを規制でき、後側当接面と後側当接受面との当接により挟持体の前記押え体に対する前方へのスライドを規制でき、係合部分と係合受段部分との係合により係合部の長孔部内からの抜け出しを規制できる。
【図面の簡単な説明】
【００１８】
【図１】本発明の一実施の形態に係るつけまつ毛装着補助具の上方側斜視図である。
【図２】同上つけまつ毛装着補助具の下方側斜視図である。
【図３】同上つけまつ毛装着補助具の正面図である。
【図４】同上つけまつ毛装着補助具の平面図である。
【図５】同上つけまつ毛装着補助具の底面図である。
【図６】同上つけまつ毛装着補助具の左側面図である。
【図７】同上つけまつ毛装着補助具の右側面図である。
【図８】図４のVIII−VIII断面図である。
【図９】同上つけまつ毛装着補助具の分解斜視図である。
【図１０】同上つけまつ毛装着補助具の部分斜視図である。
【図１１】同上つけまつ毛装着補助具の持ち方を示す図である。
【図１２】同上つけまつ毛装着補助具の使用方法を示す説明図である。
【図１３】図１２に続く使用方法を示す説明図である。
【図１４】図１３に続く使用方法を示す説明図である。
【図１５】図１４に続く使用方法を示す説明図である。
【図１６】図１５に続く使用方法を示す説明図である。
【図１７】自まつ毛が押えられた状態を示す説明図である。
【図１８】図１６に続く使用方法を示す説明図である。
【図１９】つけまつ毛が瞼の端部に接触した状態を示す説明図である。
【図２０】部分つけまつ毛が位置決めされた状態を示す説明図である。
【図２１】本発明の他の実施の形態に係るつけまつ毛装着補助具の概略正面図である。
【発明を実施するための形態】
【００１９】
本発明のつけまつ毛装着補助具の一実施の形態を図面を参照して説明する。
【００２０】
図１ないし図９において、１はつけまつ毛装着補助具（以下「補助具」）で、この補助具１は、操作者がつけまつ毛Ａを自分の瞼の端部の所望位置、つまり瞼の端部位置であって自分のまつ毛である自まつ毛ａの生え際の近傍上方位置に装着する際に使用するものである。
【００２１】
つけまつ毛Ａは、例えば図１に示す全体まつ毛のタイプで、長手状の基部A1と、この基部A1に設けられた湾曲状の複数の人工まつ毛部A2とを有している。
【００２２】
補助具１は、瞼の端部に生えた自まつ毛ａをこの自まつ毛ａがつけまつ毛Ａの装着の邪魔にならないように押える略板状の押え体２と、この押え体２に移動可能、すなわち例えば押え体２の押え本体部６の上面に沿って前後方向にスライド可能に設けられつけまつ毛Ａを解除可能に挟持する略板状のクリップ手段である挟持体３とを備えている。
【００２３】
押え体２は、前後方向長手状で略板状の押え本体部６を有し、この押え本体部６の前端側が軟質性のエラストマーにて形成されてエラストマー部７となっている。なお、押え本体部６は、前後方向略中央に湾曲状部分6aを有し、前側部分6bが後端部分6cよりも下方に位置している（図３参照）。
【００２４】
押え本体部６は、自まつ毛ａを押える平面視で凹の円弧状（略円弧状も含む、以下同様）の押え面８を前端面に有している。押え面８の曲率半径は、人（操作者）の瞼の表面の曲率半径と略同じである。押え面８は、図６に示されるように、左右方向中心側ほど上方に位置する上に凸の円弧状に形成されている。また、押え面８は、図８に示されるように、鉛直面状に位置し、例えば鉛直状の第１板４の上端から前方に向って突出する水平状の第２板５の鉛直状前端面にて構成されている。なお、押え面８は、例えば鉛直面に対して傾斜した傾斜状に位置するものであってもよい。
【００２５】
押え本体部６の上面後部の左右方向中央には、挟持体３の押え体２に対する左右方向への位置ずれを防止する前後方向長手状の案内部である案内凹溝部９が設けられている。押え本体部６の上面後部の左右方向中央付近には、押え本体部６の上面から上方に向って突出し互いに離間対向する略板状の左右１対の係合部である係合突出部11が設けられ、これら両係合突出部11間に案内凹溝部９が位置している。
【００２６】
係合突出部11は、図１０に示されるように、押え本体部６の上面から上方に向って突出する板状部分12と、この板状部分12の上端部の内側面（対向する突出板部側の面）に設けられ板状部分12から内側方に向って突出する抜け止め用の係合部分13とを有している。板状部分12は、前側当接面12aを前面に有し、後側当接面12bを後面に有している。係合部分13は、係合面13aを下面に有している。なお、係合突出部11は、内側方に向って下り傾斜状の傾斜面14を上端側に有している。
【００２７】
押え本体部６の下面前端部には、前方および下方のみに向って開口する凹部15が設けられている。凹部15は、左右方向両端に互いに離間対向する側壁面16を有している。押え本体部６の下面後端付近には、押え本体部６の下面から下方に向って突出する略矩形状の指当て部である指当て凸部17が設けられている。
【００２８】
また、押え本体部６の上面には、押え本体部６の上面から上方に向って突出し前後方向長手状に形成され互いに離間対向する略板状の左右１対の案内部である案内板部18が設けられている。案内板部18は、案内凹溝部９と協働して挟持体３の押え体２に対する左右方向への位置ずれを防止する。なお、押え本体部６の上面後端付近には、案内凹溝部９の両側に位置して凹部19が設けられている。
【００２９】
一方、押え体２は、図９に示されるように、ＡＢＳ樹脂等の樹脂製の本体部材21と、この本体部材21に取り付けられエラストマー部７を構成するエラストマー製の前端側部材22と、本体部材21に取り付けられ前端側部材22の一部を覆うＡＢＳ樹脂等の樹脂製のカバー部材23とにて構成されている。
【００３０】
本体部材21は複数の筒状部24および複数の棒状部25を有し、カバー部材23も複数の筒状部28および複数の棒状部29を有している。前端側部材22は複数の貫通孔部26，27を有し、後側の貫通孔部26は上下方向全体にわたって等径状であるが、前側の貫通孔部27は、下側小孔部分27aおよび上側大孔部分27bにて構成されている。
【００３１】
そして、本体部材21の筒状部24の外周と前端側部材22の貫通孔部26とが嵌合し、本体部材21の棒状部25と前端側部材22の貫通孔部27の下側小孔部分27aとが嵌合し、これら嵌合によって前端側部材22が本体部材21に取り付けられている。また、本体部材21の筒状部24の内周とカバー部材23の棒状部29とが嵌合し、本体部材21の棒状部25のうち上側大孔部分27b内に位置する部分とカバー部材23の筒状部28の内周とが嵌合し、これら嵌合によってカバー部材23が本体部材21に取り付けられ、これらカバー部材23と本体部材21とで前端側部材22が挟持固定されている。
【００３２】
挟持体３は、左右方向の軸部材30を介して互いに回動可能に連結され前端部でつけまつ毛Ａを挟持するそれぞれ略板状の上下１対の挟持部材、つまり一方側挟持部材である上側挟持部材31および他方側挟持部材である下側挟持部材32と、上側挟持部材31を挟持方向（閉方向）つまり上側挟持部材31の前端側が下方に向う方向に向けて付勢する付勢部材であるコイルばね33とを備えている。
【００３３】
下側挟持部材32は、前後方向長手状で略板状の本体部41を有し、この本体部41の前端側が軟質性のエラストマーにて形成されてエラストマー部42となっている。なお、エラストマー部42の下面は、押え体２のエラストマー部７の上面に対して非接触である。また、本体部41の前端縁43は、押え体２の押え面８と同様、平面視で凹の円弧状に形成され、その前端縁43の曲率半径は人の瞼の表面の曲率半径と略同じである。
【００３４】
本体部41の上面の前後方向略中央部には、本体部41の上面から上方に向って突出する左右１対の軸受部44が設けられている。軸受部44の上部には貫通孔45が形成されている。
【００３５】
本体部41の後部には、左右１対の前後方向長手状の長孔部46が設けられている。長孔部46は、例えば本体部41の上下面から突出する上下面開口状の筒状部47にて構成されている。長孔部46は、図１０に示されるようにその内部空間48に押え体２の係合突出部11が挿入され、係合突出部11の前側当接面12aと対向する内面に前側当接受面46aを有し、係合突出部11の後側当接面12bと対向する内面に後側当接受面46bを有している。また、係合突出部11の係合部分13と対向する内面に内部空間48に向って凸状で前後方向長手状の係合受段部分49を有している。係合受段部分49は、係合部分13の係合面13aがスライド可能に接触する係合受面49aを上面に有している。
【００３６】
そして、前側当接面12aと前側当接受面46aとの当接により挟持体３の押え体２に対する後方へのスライドが規制され、後側当接面12bと後側当接受面46bとの当接により挟持体３の押え体２に対する前方へのスライドが規制される。また、係合部分13の係合面13aと係合受段部分49の係合受面49aとの係合当接により係合突出部11の長孔部46の内部空間48内からの抜け出しが規制され、挟持体３が押え体２の上面から離れることが防止される。
【００３７】
本体部41の後部には、上方に向って開口する有底円筒状のばね受部51が設けられ、このばね受部51は両長孔部46間に位置している。ばね受部51内には軸状部52が設けられている。本体部41の上面後端付近には、略矩形状の指当て部である指当て凹部53が設けられている。
【００３８】
本体部41の前端部上面には、本体部41の上面から上方に向って突出する複数、例えば左右２つの位置決め用凸部55が設けられている。位置決め用凸部55は、図１に示すつけまつ毛Ａよりも長さが短い部分的なつけまつ毛Ａを位置決めするものである（図２０参照）。両位置決め用凸部55は互いに離れて位置し、両位置決め用凸部55の離間距離は、一方の位置決め用凸部55と本体部41の一側縁との離間距離および他方の位置決め用凸部55と本体部41の他側縁との離間距離と略同じである。位置決め用凸部55は、本体部41の前端縁43に沿った仮想円の径方向に長手状に形成されている。位置決め用凸部55の前端縁55aは平面視で前端縁43と一致している。なお、位置決め用凸部55の前端縁55aが前端縁43よりもやや後方に位置するようにしてもよい。
【００３９】
また、本体部41の後部下面には、図８に示されるように、本体部41の下面から下方に向って突出する複数、例えば前後２つの被案内部である案内用凸部56が設けられている。案内用凸部56の下端部が押え体２の案内凹溝部９内に嵌入され、案内用凸部56の下面が案内凹溝部９の底面とスライド可能に接触する。そして、挟持体３の押え体２に対するスライド時に案内用凸部56の下端部が案内凹溝部９にて前後方向に案内される。
【００４０】
さらに、本体部41の前後方向略中央部の下面には、本体部41の下面から下方に向って突出する被案内部である案内用軸部57が設けられている。案内用軸部57は、第１軸部分57aと、この第１軸部分57aの下端に設けられ第１軸部分57aよりも小径状の第２軸部分57bとにて構成されている。第２軸部分57bが両案内板部18間に嵌入され、第１軸部分57aの環状下面が案内板部18の上面とスライド可能に接触する。そして、挟持体３の押え体２に対するスライド時に第２軸部分57bが両案内板部18にて前後方向に案内される。なお、図８に示されるように、本体部41の前側下面一部にて接触面38が形成され、また押え本体部６の前側上面一部にて接触面39が形成され、これら互いに対向する接触面38，39がスライド可能に接触している。
【００４１】
一方、下側挟持部材32は、図９に示されるように、ＡＢＳ樹脂等の樹脂製の本体部材61と、この本体部材61に取り付けられエラストマー部42を構成するエラストマー製の前端側部材62と、本体部材61に取り付けられ前端側部材62の一部を覆うＡＢＳ樹脂等の樹脂製のカバー部材63とにて構成されている。
【００４２】
本体部材61は複数の筒状部64を有し、前端側部材62は複数の貫通孔部65を有し、カバー部材63は複数の棒状部66を有している。そして、本体部材61の筒状部64の外周と前端側部材62の貫通孔部65とが嵌合し、この嵌合によって前端側部材62が本体部材61に取り付けられている。また、本体部材61の筒状部64の内周とカバー部材63の棒状部66の外周とが嵌合し、この嵌合によってカバー部材63が本体部材61に取り付けられ、これらカバー部材63と本体部材61とで前端側部材62が挟持固定されている。
【００４３】
上側挟持部材31は、前後方向長手状で略板状の本体部71を有し、この本体部71の前端側が軟質性のエラストマーにて形成されてエラストマー部72となっている。本体部71の前端縁73は、押え体２の押え面８と同様、平面視で凹の円弧状に形成され、その前端縁73の曲率半径は人の瞼の表面の曲率半径と略同じである。なお、上側挟持部材31の前端縁73は、下側挟持部材32の前端縁43よりもやや前方に位置する（図３参照）。
【００４４】
本体部71の下面には、この本体部71の下面から下方に向って突出する軸受部74が設けられている。軸受部74の下部には貫通孔75が形成されている。そして、下側挟持部材32の軸受部44の貫通孔45と上側挟持部材31の軸受部74の貫通孔75とに軸部材30が挿入され、上側挟持部材31が下側挟持部材32に対して軸部材30を中心として上下方向に回動可能となっている。
【００４５】
本体部71の後端付近には、下方に向って開口する有底円筒状のばね受部76が設けられている。そして、下側挟持部材32のばね受部51と上側挟持部材31のばね受部76との間にコイルばね33が圧縮状態で配設されている。本体部71の後端部が略波板状の操作部70となっており、操作者が操作部70を押すと、上側挟持部材31がコイルばね33の付勢力に抗して挟持解除方向（開方向）に回動する。その結果、上側挟持部材31の前端部下面の上側挟持面31aが下側挟持部材32の前端部上面の下側挟持面32aから離れる。
【００４６】
本体部71の上面後端付近には、複数の左右方向長手状の指当て部である指当て凸部77が設けられている。つまり、操作部70が指当て凸部77を上面に有している。
【００４７】
また、本体部71の前端部下面には、凹部78が設けられている。このため、図８に示されるように、上側挟持部材31の曲面状の上側挟持面31aと下側挟持部材32の曲面状の下側挟持面32aとが互いに接触した状態時に、これら両挟持面31a，32a間には収容空間部80が形成される。つまり、挟持体３は、つけまつ毛Ａの挟持時に人工まつ毛部A2を湾曲状（カール状）のまま収容する収容空間部80を両挟持面31a，32a間に有する（図１３参照）。
【００４８】
なお、下側挟持部材32の下側挟持面32aが位置決め用凸部55を有し、上側挟持部材31の上側挟持面31aは、その位置決め用凸部55が入り込む凹部60を有している。また、本体部41の前後方向略中央部の上面から突出板59が上方に向って突出している。
【００４９】
一方、上側挟持部材31は、図９に示されるように、ＡＢＳ樹脂等の樹脂製の本体部材81と、この本体部材81に取り付けられエラストマー部72を構成するエラストマー製の前端側部材82と、本体部材81に取り付けられ前端側部材82の一部を覆うＡＢＳ樹脂等の樹脂製のカバー部材83とにて構成されている。
【００５０】
本体部材81は複数の筒状部84を有し、前端側部材82は複数の貫通孔部85を有し、カバー部材83は複数の棒状部86を有している。そして、本体部材81の筒状部84の外周と前端側部材82の貫通孔部85とが嵌合し、この嵌合によって前端側部材82が本体部材81に取り付けられている。また、本体部材81の筒状部84の内周とカバー部材83の棒状部86の外周とが嵌合し、この嵌合によってカバー部材83が本体部材81に取り付けられ、これらカバー部材83と本体部材81とで前端側部材82が挟持固定されている。
【００５１】
なお、図１１は補助具１の基本的な持ち方を示す図であり、操作者は、親指を押え体２の指当て凸部17に当て、薬指を挟持体３の下側挟持部材32の指当て凹部53に当て、中指を挟持体３の上側挟持部材31の操作部70の指当て凸部77に当て、人差し指を中指に沿えるようにして、補助具１を安定的に持つことが可能である。
【００５２】
次に、上記構成の補助具１の使用方法等について説明する。
【００５３】
まず、操作者は、挟持体３を後側当接面12bと後側当接受面46bとが当接するまで押え体２に対して押え本体部６の上面上を前方にスライドさせ、挟持体３の前端部を押え体２の押え面８よりも前方に突出させる。
【００５４】
続いて、図１２に示すように、上側挟持部材31の操作部70の指当て凸部77を押して、挟持体３を開状態にする。つまり、上側挟持部材31をコイルばね33の付勢力に抗して挟持解除方向に回動させ、上側挟持部材31の上側挟持面31aを下側挟持部材32の下側挟持面32aから離す。
【００５５】
そして、つけまつ毛Ａを両挟持面31a，32a間にセットしてから、指当て凸部77の押しを解除する。すると、上側挟持部材31がコイルばね33の付勢力で挟持方向に回動し、つけまつ毛Ａが両挟持面31a，32aにて挟持される。このとき、図１３に示すように、つけまつ毛Ａの人工まつ毛部A2の先端側は、所望のカール状態である湾曲状のまま収容空間部80に収容される。なお、つけまつ毛Ａを装着したい位置によって挟持位置が異なるため、接着剤を付けず、シミュレーションしながら挟持位置を決定することが好ましい。
【００５６】
次いで、図１４に示すように、補助具１を裏返し、つけまつ毛Ａの基部A1が下側挟持部材32の前端縁43から１ｍｍ出るように微調整する。なお、出過ぎの場合には人差し指で基部A1をやさしく叩き押し、入り過ぎの場合には爪で基部A1を引っ張る。
【００５７】
続いて、つけまつ毛Ａの基部A1に接着剤を付けてから、図１５に示すように、挟持体３を前側当接面12aと前側当接受面46aとが当接するまで押え体２に対して後方（図１５では、下方）にスライドさせ、挟持体３の前端部を押え体２の押え面８よりも後方に位置させる。
【００５８】
次いで、操作者は、図１１に示す持ち方で補助具１を持ち、つけまつ毛Ａを装着する一方の目を閉じ、他方の目で鏡を見つつ、図１６および図１７に示すように、補助具１を顔に近づけ、押え体２のエラストマー部７の前端側下面を頬に当てるようにして、押え体２の押え面８で上瞼の自まつ毛ａをつけまつ毛Ａの装着の邪魔にならないように押える。このとき、自まつ毛ａの生え際より下に４ｍｍ離した位置で、自まつ毛ａを押える。つまり、押え面８にて自まつ毛ａを頬に押え付けるようにする。
【００５９】
続いて、図１８に示すように、補助具１の後端側を持ち上げ、押え体２の角度が瞼に対して略直角になるように押え体２を水平姿勢にし、その後、挟持体３を押え体２に対して前方つまり瞼側に向けてゆっくりスライドさせる。
【００６０】
そして、図１９に示すように、挟持体３のエラストマー部42，72の前端部が瞼に到着し、つけまつ毛Ａの基部A1が瞼の端部の所望位置に接触したら、接着剤が乾くまで、その状態を数秒間維持する。
【００６１】
次いで、接着剤が乾いたら、目を閉じたまま、上側挟持部材31の操作部70の指当て凸部77を押して挟持体３を開状態にしてから、補助具１を顔から離す。こうして、つけまつ毛Ａの装着が完了する。
【００６２】
そして、補助具１によれば、押え体２の押え面８にて自まつ毛ａを押えることができるため、自まつ毛ａが邪魔とならず、つけまつ毛Ａを装着しようとする所望位置が見やすくなり、よって、初心者等であっても、つけまつ毛Ａを瞼の端部の所望位置に容易かつ適切に装着できる。
【００６３】
また、挟持体３はつけまつ毛Ａの挟持時に人工まつ毛部A2の先端側を湾曲状のまま収容する収容空間部80を有するため、人工まつ毛部A2が変形してつぶれるのを防止でき、人工まつ毛部A2の湾曲状を適切に維持できる。
【００６４】
さらに、挟持体３は複数の位置決め用凸部55を有するため、部分的なつけまつ毛（部分まつ毛）Ａを装着する際に、部分的なつけまつ毛Ａを位置決め用凸部55にて適切な位置に容易に位置決めでき、部分つけまつ毛Ａをより一層容易に装着できる。
【００６５】
また、補助具１のうち顔に接触する部分が柔軟なエラストマー部７，42，72にて構成されているため、目周りの繊細な皮膚への負担が少なく、またエラストマー部７，42，72の前端角部が曲面状であり、皮膚を傷付けないようになっている。
【００６６】
さらに、指当て凸部17、指当て凹部53および指当て凸部77を有するため、指の配置が分かり易いばかりでなく、補助具１を安定して保持できる。
【００６７】
また、挟持体３の下側挟持部材32の下面側と押え体２の上面側との接触部分は、エラストマーでなく、滑り易いＡＢＳ樹脂等の樹脂にて形成されているため、挟持体３と押え体２との間の摩擦抵抗が少なく、押え体２および挟持体３のいずれか一方を他方に対してスムーズにスライドさせることができる。
【００６８】
なお、補助具１は、挟持体３が押え体２に移動可能（スライドや回動等）に設けられた構成、すなわち例えば押え本体部６の上面に沿って前後方向にスライド可能に設けられた構成には限定されず、例えば挟持体３が押え体２に固設された構成でもよく、また挟持体３が押え体２に脱着可能に取り付けられた構成等でもよい。
【００６９】
また、例えば図２１に示すように、挟持体３が押え体２に対して所定角度α（例えば１０度〜３０度）をもって傾斜した構成等でもよい。
【００７０】
さらに、挟持体３の下側挟持部材32の位置決め用凸部55の数は任意であり、１つでも、３以上でもよい。
【００７１】
また、例えば上側挟持部材31の前端縁73と下側挟持部材32の前端縁43とが平面視で一致する構成等でもよい。
【００７２】
さらに、補助具１のうち顔に接触する部分が、エラストマーではなく、例えばアクリル樹脂やＰＰ樹脂等にて形成されたものの樹脂材料で形成された構成等でもよい。
【符号の説明】
【００７３】
１    つけまつ毛装着補助具
２    押え体
３    挟持体
11    係合部である係合突出部
12a   前側当接面
12b   後側当接面
13    係合部分
46    長孔部
46a   前側当接受面
46b   後側当接受面
49    係合受段部分
55    位置決め用凸部
80    収容空間部
Ａ    つけまつ毛
A2    人工まつ毛部
ａ    まつ毛である自まつ毛
【図１】
2011005013.tif 000003
【図２】
2011005013.tif 000004
【図３】
2011005013.tif 000005
【図４】
2011005013.tif 000006
【図５】
2011005013.tif 000007
【図６】
2011005013.tif 000008
【図７】
2011005013.tif 000009
【図８】
2011005013.tif 000010
【図９】
2011005013.tif 000011
【図１０】
2011005013.tif 000012
【図１１】
2011005013.tif 000013
【図１２】
2011005013.tif 000014
【図１３】
2011005013.tif 000015
【図１４】
2011005013.tif 000016
【図１５】
2011005013.tif 000017
【図１６】
2011005013.tif 000018
【図１７】
2011005013.tif 000019
【図１８】
2011005013.tif 000020
【図１９】
2011005013.tif 000021
【図２０】
2011005013.tif 000022
【図２１】
2011005013.tif 000023